(57)【要約】  複合装置は、記録装置と、記録装置上に配置され、画像を読み取ることが可能な読み取り装置と、記録装置内に配置され、用紙Ｐに対してインクを噴射して印刷を行うことが可能な記録部と、記録装置の側部に配置され、記録部に供給するためのインクを収容する液体収容部とを備え、読み取り装置は、その一部が記録装置から液体収容部の上方へ突出するように配置される。
2016021171.tif 000002
【特許請求の範囲】
【請求項１】
記録媒体に対して液体を噴射して記録を行う記録部を有する記録装置と、
前記記録装置上に配置され、画像を読み取ることが可能な読み取り装置と、
少なくとも一部が前記記録装置の側部に配置され、前記記録部に供給するための前記液体を収容する液体収容部とを備えた複合装置であって、
前記読み取り装置は、その一部が前記記録装置から前記液体収容部の上方へ突出するように配置されることを特徴とする複合装置。
【請求項２】
前記液体収容部は指が掛かる指掛け部を有していることを特徴とする請求項１に記載の複合装置。
【請求項３】
前記読み取り装置は原稿を搬送する搬送部と、
搬送された原稿の画像を読み取る読み取り部と、を有し、
前記搬送部は前記記録装置上に位置することを特徴とする請求項１に記載の複合装置。
【請求項４】
前記読み取り装置によって読み取り可能な前記画像の大きさは、前記記録部によって記録可能な前記記録媒体の大きさよりも大きいことを特徴とする請求項１に記載の複合装置。
【請求項５】
前記液体収容部は、前記記録装置の幅方向の両側部に配置されることを特徴とする請求項１〜請求項４のうちいずれか一項に記載の複合装置。
【請求項６】
前記記録媒体は、長方形状をなしており、
前記記録装置は、前記記録装置の奥行き方向を長辺とする位置態様で前記記録媒体をセット可能に構成され、
前記読み取り装置は、前記記録媒体よりも面積が２倍大きいサイズであって前記記録装置の奥行き方向と直交する幅方向を長辺とする長方形状の前記画像を読み取り可能であることを特徴とする請求項１に記載の複合装置。
【請求項７】
前記液体収容部の上端部は、平面になっていることを特徴とする請求項１に記載の複合装置。
【請求項８】
前記液体収容部は、前記記録装置の後側部に配置されることを特徴とする請求項１に記載の複合装置。
【請求項９】
前記液体収容部は、前記液体が収容される液体収容体を挿入可能な挿入口を有した挿入ケースを備え、
前記挿入口は、前記挿入ケースの側部に配置されていることを特徴とする請求項１に記載の複合装置。
【請求項１０】
前記液体収容部は、前記液体が収容される液体収容体を収容可能であって側部に開口部を有した収容ケースと、前記開口部を開閉可能な蓋体とを備え、
前記蓋体を開閉する際の開閉軌跡は、前記読み取り装置から離れていることを特徴とする請求項１に記載の複合装置。
【請求項１１】
前記液体収容部は、上側に開口部を有し、前記液体が収容される液体収容体を収納可能な収納ケースを備え、
前記読み取り装置は、前記画像を読み取り可能な読み取り面と、前記読み取り面を覆う第１位置と前記読み取り面を露出させる第２位置との間で変位可能なカバー部材とを備え、
前記カバー部材は、前記第１位置にあるときに前記開口部を閉塞し、前記第２位置にあるときに前記開口部を開放することを特徴とする請求項１に記載の複合装置。
【請求項１２】
前記幅方向において、前記記録装置の両側部に配置された前記液体収容部のうち、一方の前記液体収容部は、他方の前記液体収容部より長く、前記読み取り装置が、前記記録装置から前記一方の前記液体収容部の上方へ突出する突出量は、前記記録装置から前記他方の前記液体収容部の上方へ突出する突出量より長いことを特徴とする請求項５に記載の複合装置。
【発明の詳細な説明】
【技術分野】
【０００１】
本発明は、例えば、インクジェット式プリンターなどの記録装置を備えた複合装置に関する。
【背景技術】
【０００２】
従来から、記録装置の一種として、インクジェットヘッドから用紙等の記録媒体に対してインクを噴射することにより印刷を行うインクジェット式プリンターが知られている。このようなプリンターにおいては、比較的大量の印刷を行う場合にインクジェットヘッドへ連続的に安定してインクを供給するために、インクの収容容量が比較的大きなインクタンクからインクチューブを通じてインクジェットヘッドにインクを供給する構成が提案されている（例えば、特許文献１参照）。こうした構成のプリンターでは、通常、装置本体の側面にインクタンクが取り付けられる。
【先行技術文献】
【特許文献】
【０００３】
【特許文献１】特開２０１２−１５２９９６号公報
【発明の概要】
【発明が解決しようとする課題】
【０００４】
ところで、上述のようなプリンターでは、通常、インクタンクの高さが装置本体の高さよりも少し低いため、装置本体の側面にインクタンクを取り付けると、インクタンク上に無駄な空間が生じてしまうという問題がある。【０００５】
本発明は、このような従来技術に存在する問題点に着目してなされたものである。その目的とするところは、装置本体の側部に設けられた液体収容部上の空間を有効利用することが可能な複合装置を提供することにある。
【課題を解決するための手段】
【０００６】
以下、上記課題を解決するための手段及びその作用効果について記載する。
上記課題を解決する複合装置は、記録媒体に対して液体を噴射して記録を行う記録部を有する記録装置と、前記記録装置上に配置され、画像を読み取ることが可能な読み取り装置と、少なくとも一部が前記記録装置の側部に配置され、前記記録部に供給するための前記液体を収容する液体収容部とを備えた複合装置であって、前記読み取り装置は、その一部が前記記録装置から前記液体収容部の上方へ突出するように配置される。【０００７】
この構成によれば、読み取り装置の一部が記録装置から液体収容部の上方へ突出するように配置されるので、記録装置の側部に設けられた液体収容部上の空間を有効利用することが可能となる。【０００８】
上記複合装置において、前記液体収容部は指が掛かる指掛け部を有している。【０００９】
この構成によれば、複合装置を持ち上げて運搬する際に、液体収容部と記録装置とを接合する接合部に掛かるせん断応力を小さくすることができる。【００１０】
上記複合装置において、前記読み取り装置は原稿を搬送する搬送部と、搬送された原稿の画像を読み取る読み取り部と、を有し、前記搬送部は前記記録装置上に位置する。【００１１】
この構成によれば、読み取り装置に占める重量割合が大きな搬送部を安定した姿勢で備えることができる。また、読み取り部によって読み取られる画像品質の低下を抑制できる。【００１２】
上記複合装置において、前記読み取り装置によって読み取り可能な前記画像の大きさは、前記記録部によって記録可能な前記記録媒体の大きさよりも大きいことが好ましい。【００１３】
この構成によれば、記録媒体よりも大きい画像を読み取り装置によって読み取ることが可能となる。【００１４】
上記複合装置において、前記液体収容部は、前記記録装置の幅方向の両側部に配置されることが好ましい。【００１５】
この構成によれば、読み取り装置の大きさを記録装置の幅方向に大きくすることが可能となる。【００１６】
上記複合装置において、前記記録媒体は、長方形状をなしており、前記記録装置は、前記記録装置の奥行き方向を長辺とする位置態様で前記記録媒体をセット可能に構成され、前記読み取り装置は、前記記録媒体よりも面積が２倍大きいサイズであって前記記録装置の奥行き方向と直交する幅方向を長辺とする長方形状の前記画像を読み取り可能であることが好ましい。【００１７】
この構成によれば、液体収容部によって幅方向の幅を稼ぐことで、記録媒体よりも面積が２倍大きいサイズの画像を読み取ることが可能な読み取り装置を、スペース効率よく配置することが可能となる。【００１８】
上記複合装置において、前記液体収容部の上端部は、平面になっていることが好ましい。
この構成によれば、液体収容部が読み取り装置と干渉することを抑制することが可能となる。【００１９】
上記複合装置において、前記液体収容部は、前記記録装置の後側部に配置されることが好ましい。【００２０】
この構成によれば、読み取り装置の大きさを記録装置の奥行き方向に大きくすることが可能となる。【００２１】
上記複合装置において、前記液体収容部は、前記液体が収容される液体収容体を挿入可能な挿入口を有した挿入ケースを備え、前記挿入口は、前記挿入ケースの側部に配置されていることが好ましい。【００２２】
この構成によれば、挿入口に対して液体収容体を挿抜する際に、読み取り装置が障害となることを抑制することが可能となる。【００２３】
上記複合装置において、前記液体収容部は、前記液体が収容される液体収容体を収容可能であって側部に開口部を有した収容ケースと、前記開口部を開閉可能な蓋体とを備え、前記蓋体を開閉する際の開閉軌跡は、前記読み取り装置から離れていることが好ましい。【００２４】
この構成によれば、蓋体を開閉する際に、読み取り装置が障害となることを抑制することが可能となる。【００２５】
上記複合装置において、前記液体収容部は、上側に開口部を有し、前記液体が収容される液体収容体を収納可能な収納ケースを備え、前記読み取り装置は、前記画像を読み取り可能な読み取り面と、前記読み取り面を覆う第１位置と前記読み取り面を露出させる第２位置との間で変位可能なカバー部材とを備え、前記カバー部材は、前記第１位置にあるときに前記開口部を閉塞し、前記第２位置にあるときに前記開口部を開放することが好ましい。【００２６】
この構成によれば、読み取り装置のカバー部材を、収納ケースの開口部を開閉する蓋としても機能させることが可能となる。【００２７】
上記複合装置において、前記幅方向において、前記記録装置の両側部に配置された前記液体収容部のうち、一方の前記液体収容部は、他方の前記液体収容部より長く、前記読み取り装置が、前記記録装置から前記一方の前記液体収容部の上方へ突出する突出量は、前記記録装置から前記他方の前記液体収容部の上方へ突出する突出量より長いことが好ましい。【００２８】
この構成によれば、読み取り装置を記録装置によって安定して支持できる。
【図面の簡単な説明】
【００２９】
【図１】一実施形態の複合装置の斜視図。
【図２】複合装置の正面図。
【図３】カバー部材が第２位置にあるときの複合装置の斜視図。
【図４】上段給紙カセット及び下段給紙カセットをリーガルサイズの用紙に対応させたときの複合装置の斜視図。
【図５】変更例の複合装置の模式正面図。
【図６】変更例の複合装置の模式斜視図。
【図７】変更例の複合装置の模式斜視図。
【図８】変更例の複合装置の模式平面図。
【図９】変更例の複合装置の模式平面図。
【図１０】変更例の複合装置の模式斜視図。
【図１１】変更例の複合装置の模式斜視図。
【図１２】変更例の複合装置の模式斜視図。
【図１３】変更例の複合装置の模式斜視図。
【図１４】変更例の複合装置の模式斜視図。
【図１５】変更例の複合装置の模式斜視図。
【図１６】変更例の複合装置の模式斜視図。
【図１７】変更例の複合装置の模式斜視図。
【図１８】変更例の複合装置の模式斜視図。
【図１９】変更例の複合装置の模式斜視図。
【図２０】変更例の複合装置の模式斜視図。
【図２１】変更例の複合装置の模式斜視図。
【図２２】実施形態２における複合装置の外観斜視図。
【図２３】実施形態２における複合装置の外観斜視図。
【図２４】読み取り装置の概略構成を示す側面図。
【図２５】指掛け部を設けた複合装置の外観斜視図。
【発明を実施するための形態】
【００３０】
（実施形態１）
以下、複合装置の一実施形態を、図面に従って説明する。
図１に示すように、複合装置１１は、全体として略直方体状をなしており、記録装置（装置本体）１２上に配置されて画像を読み取ることが可能な読み取り装置１３と、記録装置１２内に配置されて記録媒体の一例としての用紙Ｐに対して液体の一例としてのインクを噴射して印刷（記録）を行うことが可能な記録部１４とを備えている。さらに、複合装置１１は、記録装置１２の幅方向Ｘの両側部に配置され、インク供給チューブ（図示略）を介して記録部１４に供給するためのインクを収容する液体収容部１５を備えている。
【００３１】
図１及び図２に示すように、読み取り装置１３は、矩形板状をなす所謂フラットベッドタイプのスキャナーによって構成されており、その長辺が沿う方向である幅方向Ｘの両端部が記録装置１２から各液体収容部１５の上方へ突出するように配置されている。各液体収容部１５の上端部は平面状をなしており、読み取り装置１３の両端部と各液体収容部１５の上端部との間には僅かな隙間が形成されている。この場合、幅方向Ｘにおける読み取り装置１３の両端部は、幅方向Ｘにおける各液体収容部１５の外側面よりも内側に位置している。
【００３２】
図１及び図３に示すように、読み取り装置１３は、原稿などを載置して画像を読み取る読み取り面１６ａを有した読み取り装置本体１６と、読み取り装置本体１６の後端部に設けられたヒンジ部１７を介して読み取り装置本体１６に回動可能に取り付けられたカバー部材１８とを備えている。カバー部材１８は、読み取り面１６ａを含む読み取り装置本体１６の上面全体を覆う第１位置（図１に示す位置）と、読み取り面１６ａを含む読み取り装置本体１６の上面全体を露出させる第２位置（図３に示す位置）との間で、ヒンジ部１７を回動中心として回動（変位）可能に構成されている。
【００３３】
読み取り面１６ａは、Ａ４サイズの用紙Ｐよりも大きいリーガルサイズの用紙Ｐと同じ大きさの画像まで読み取ることが可能な大きさになっている。リーガルサイズは、８．５インチ×１４インチの大きさであり、Ａ４サイズ（２９７ｍｍ×２１０ｍｍ）よりも長辺が約５９ｍｍ長く且つ短辺が約６ｍｍ長い大きさである。そして、読み取り面１６ａは、その長辺が幅方向Ｘに沿うように、読み取り装置本体１６に設けられている。
【００３４】
記録装置１２の前面の上端部と読み取り装置１３の前端部との間には、複合装置１１の各種の操作を行うための操作部１９が傾斜した状態で設けられている。記録装置１２の前面の中央部には、記録装置１２内で記録部１４によって印刷された用紙Ｐが排紙される矩形状の排紙口２０が開口している。記録装置１２における排紙口２０の下側には、排紙口２０から排紙された用紙Ｐを支持する矩形板状の排紙トレイ２１が排紙方向（前方向）に沿って引き出し可能に設けられている。
【００３５】
記録装置１２の前面における排紙トレイ２１の下側には、上段給紙カセット２２が着脱自在に装着される上段カセット装着部２３が設けられている。上段給紙カセット２２には、複数の用紙Ｐが積層状態で収容される。記録装置１２の前面における上段カセット装着部２３の下側には、下段給紙カセット２４が着脱自在に装着される下段カセット装着部２５が設けられている。下段給紙カセット２４には複数の用紙Ｐが積層状態で収容されている。
【００３６】
上段給紙カセット２２及び下段給紙カセット２４は、収容する用紙ＰのサイズがＡ４サイズ以下の場合には、図１に示すように、これらの前面が記録装置１２の前面と面一になるように記録装置１２内に収まる。上段給紙カセット２２及び下段給紙カセット２４は、収容する用紙Ｐのサイズがリーガルサイズの場合には、リーガルサイズに合わせて長さを長くすることが可能に構成されている。
【００３７】
そして、上段給紙カセット２２及び下段給紙カセット２４は、収容する用紙Ｐのサイズがリーガルサイズの場合、上段カセット装着部２３及び下段カセット装着部２５にそれぞれ装着すると、図４に示すように、それらの一部が記録装置１２の前面から前方に突出する。
【００３８】
上段給紙カセット２２及び下段給紙カセット２４に収容される用紙Ｐのサイズは、互いに同じであってもよいし、互いに異なっていてもよい。すなわち、例えば、上段給紙カセット２２及び下段給紙カセット２４の両方にＡ４サイズの用紙Ｐを収容するようにしてもよいし、上段給紙カセット２２及び下段給紙カセット２４のうちの一方にＡ４サイズの用紙Ｐを収容して他方にリーガルサイズの用紙Ｐを収容するようにしてもよい。なお、上段給紙カセット２２及び下段給紙カセット２４は、記録装置１２に対して前面側から奥行き方向Ｙ（幅方向Ｘ及び鉛直方向Ｚの両方と直交する方向）を長辺とする位置態様で用紙Ｐがセットされるように装着される。
【００３９】
図１及び図２に示すように、記録装置１２内に配置された記録部１４は、幅方向Ｘ（図２では左右方向）に往復移動可能に構成されたキャリッジ２７と、キャリッジ２７の下部に支持された液体噴射ヘッド２８とを備えている。そして、液体噴射ヘッド２８の下側を後側から前側に向かって搬送される用紙Ｐに対して、液体収容部１５から供給されるインクを、キャリッジ２７と共に走査方向となる幅方向Ｘに往復移動する液体噴射ヘッド２８のノズル（図示略）から噴射することで、用紙Ｐの印刷が行われる。
【００４０】
図１及び図２に示すように、各液体収容部１５は、ケース３１と、ケース３１に設けられてケース３１を開閉可能な蓋部材３２とを備えている。蓋部材３２は、ケース３１の外側における鉛直方向Ｚの中央部から上端にかけて設けられている。蓋部材３２は、その下端における奥行き方向Ｙに延びる軸線を回動中心として回動可能になっている。
【００４１】
そして、蓋部材３２は、閉塞位置（図２の実線で示す位置）と、開放位置（図２の２点鎖線で示す位置）との間で回動可能になっている。本実施形態では、蓋部材３２は、閉塞位置での角度を０度とした場合に、開放位置での角度が４０度程度となるように、設定されている。
【００４２】
図１及び図２に示すように、幅方向Ｘの一方側（図２では右側）の液体収容部１５のケース３１内には、互いに異なるカラーインク（液体）がそれぞれ収容された液体収容体の一例としての３つの大容量のインクパック３３が奥行き方向Ｙに並んで収容されている。各インクパック３３は、可撓性の袋体によって構成されている。そして、本実施形態では、３つのインクパック３３には、シアンインク、マゼンタインク、及びイエローインクがそれぞれ収容されている。３つのインクパック３３に収容されたそれぞれのカラーインクは、インク供給チューブ（図示略）を介してそれぞれ液体噴射ヘッド２８に供給される。
【００４３】
一方、幅方向Ｘの他方側（図２では左側）の液体収容部１５のケース３１内にはブラックインク（液体）が収容された液体収容体の一例としての大容量のインクパック３４が収容されている。インクパック３４は、インクパック３３を構成する袋体よりも大きい可撓性の袋体によって構成されている。インクパック３４に収容されたブラックインクは、インク供給チューブ（図示略）を介して液体噴射ヘッド２８に供給される。
【００４４】
次に、複合装置１１の作用について説明する。
さて、読み取り装置１３で読み取った原稿の画像を印刷するためには、まず、読み取り面１６ａに原稿を載置し、カバー部材１８を閉じる。そして、読み取り装置１３で読み取った画像データに基づき、上段給紙カセット２２または下段給紙カセット２４から給紙される用紙Ｐに対して液体噴射ヘッド２８から各色のインクが噴射されて、印刷が行われる。印刷された用紙Ｐは、排紙口２０から排紙される。
【００４５】
ここで、複合装置１１を設置する場合、幅方向Ｘにおいては、２つの液体収容部１５の幅及び１つの記録装置１２の幅の合計分のスペースを確保する必要がある。このため、２つの液体収容部１５の上方の領域においては、無駄な空きスペースが生じることとなる。この点、本実施形態の複合装置１１においては、読み取り装置１３の両端部が記録装置１２から幅方向Ｘの両側にそれぞれ突出しているが、２つの液体収容部１５を含んだ複合装置１１の幅方向Ｘの範囲内に収まっている。
【００４６】
すなわち、記録装置１２から幅方向Ｘに突出した読み取り装置１３の両端部を、２つの液体収容部１５の上方の領域を利用して複合装置１１の幅分に収めるようにしている。このため、２つの液体収容部１５の上方の無駄な空きスペースを有効利用することができ、読み取り装置１３の幅方向Ｘの大きさを大きくすることができる。さらに、この場合、２つの液体収容部１５の上端部は平面になっているため、読み取り装置１３の両端部と２つの液体収容部１５の上端部とが干渉することを抑制できる。
【００４７】
以上、詳述した実施形態によれば以下の効果を得ることができる。
（１）複合装置１１において、読み取り装置１３の幅方向Ｘの両端部が記録装置１２から２つの液体収容部１５の上方へそれぞれ突出している。このため、２つの液体収容部１５の上方の無駄な空きスペースを読み取り装置１３の幅方向Ｘの両端部を収めるスペースとして有効利用することができる。したがって、特に、上段給紙カセット２２及び下段給紙カセット２４をそれらの長辺が奥行き方向Ｙに沿うように複合装置１１に対して装着する場合に、より一層大きい画像サイズに対応した読み取り装置１３の実現または記録装置１２の幅方向Ｘの幅を小さくした上で規定の画像サイズに対応した読み取り装置１３の実現ができる。
【００４８】
（２）複合装置１１において、液体収容部１５は、記録装置１２の幅方向Ｘの両側部にそれぞれ配置されている。このため、読み取り装置１３の幅方向Ｘの大きさを大きくすることができる。
【００４９】
（３）複合装置１１において、各液体収容部１５の上端部は平面になっている。このため、読み取り装置１３の両端部と２つの液体収容部１５の上端部とが干渉することを抑制することができる。
【００５０】
（変更例）
なお、上記実施形態は以下のように変更してもよい。
・図５に示すように、幅方向Ｘにおける読み取り装置１３の両端部は、インクパック３３，３４の真上の領域まで達していなくてもよい。
【００５１】
・記録装置１２で印刷される用紙Ｐよりも面積が２倍大きいサイズであって幅方向Ｘを長辺とする長方形状の画像（原稿）を読み取り装置１３によって読み取り可能に構成してもよい。例えば、記録部１４によって印刷可能な用紙サイズがＡ４までである場合に、読み取り装置１３で読み取り可能な画像（原稿）のサイズをＡ３までとしてもよい。このようにすれば、図６に示すように、操作部１９を記録装置１２の前面に設けて奥行き方向Ｙの幅を稼ぐとともに液体収容部１５によって幅方向Ｘの幅を稼ぐことで、記録部１４によって印刷可能な用紙サイズよりも面積が２倍大きいサイズの画像（原稿）を読み取ることが可能な読み取り装置１３を、スペース効率よく配置することができる。
【００５２】
・図７に示すように、上記図６の複合装置１１において、記録装置１２の前面の上端部を窪むように傾斜させて、操作部１９を傾斜させるようにしてもよい。
・図８に示すように、複合装置１１において、記録装置１２の幅方向Ｘの両側部だけでなく、記録装置１２の後側部にも液体収容部１５を配置するようにしてもよい。このようにすれば、記録装置１２の後側部に配置された液体収容部１５の上方のスペースを読み取り装置１３の配置領域として増やすことができるので、読み取り装置１３の大きさを記録装置１２の奥行き方向Ｙに大きくすることができる。
【００５３】
・図９に示すように、上記図８の複合装置１１において、記録装置１２の後側部に配置された液体収容部１５を省略してもよい。
・図１０に示すように、複合装置１１において、液体収容部１５を大容量のインクカートリッジで構成し、このインクカートリッジを記録装置１２の側面に対して少なくとも一部が記録装置１２から突出するように装着するようにしてもよい。このようにすれば、インクカートリッジにおける記録装置１２からの突出部分の上方のスペースを、読み取り装置１３の幅方向Ｘの両端部の配置領域として有効利用することができる。なお、幅方向Ｘにおいて、読み取り装置１３における記録装置１２からの突出長さは、液体収容部１５の突出長さと同じになっている。
【００５４】
・図１１に示すように、上記図１０の複合装置１１において、読み取り装置１３における記録装置１２からの突出長さは、液体収容部１５の突出長さより短くてもよい。
・図１２に示すように、上記図１０の複合装置１１において、読み取り装置１３における記録装置１２からの突出長さは、液体収容部１５の突出長さより長くてもよい。
【００５５】
・図１３に示すように、複合装置１１において、液体収容部１５を、インク（液体）が収容される液体収容体の一例としての大容量のインクカートリッジ４０を挿入可能な挿入口４１ａを有した挿入ケース４１を備えるように構成し、挿入口４１ａを直方体状の挿入ケース４１の側部に配置するようにしてもよい。このようにすれば、挿入口４１ａに対してインクカートリッジ４０を挿抜する際に、読み取り装置１３が障害となることを抑制することができる。なお、図１３では挿入口４１ａを挿入ケース４１の前面に設けたが、挿入口４１ａを挿入ケース４１の側面や後面に設けるようにしてもよい。
【００５６】
・図１４に示すように、複合装置１１において、液体収容部１５を、インク（液体）が収容されるインクパック３３を収容可能であって側部に開口部４２ａを有した直方体状の収容ケース４２と、開口部４２ａを開閉可能な矩形板状の蓋体４３とを備えるように構成し、蓋体４３を開閉する際の開閉軌跡が読み取り装置１３から離れるようにしてもよい。この場合、開口部４２ａは、収容ケース４２の側面における鉛直方向Ｚの中央部に設けられ、蓋体４３はその下端における奥行き方向Ｙに延びる回転軸線を回動中心として回動することで、開口部４２ａを開閉する。このようにすれば、蓋体４３を開閉する際の開閉軌跡（回動軌跡）が読み取り装置１３から離れるので、蓋体４３を開閉する際に、読み取り装置１３が障害となることを抑制することができる。なお、蓋体４３は、奥行き方向Ｙにスライドすることで開口部４２ａを開閉するスライド式のものであってもよいし、収容ケース４２に対して着脱することで開口部４２ａを開閉する着脱式のものであってもよい。
【００５７】
・図１５に示すように、図１４の複合装置１１において、読み取り装置１３における幅方向Ｘの端面と、液体収容部１５における幅方向Ｘの外側の面とを面一にしてもよい。
・図１６に示すように、図１４の複合装置１１において、読み取り装置１３における幅方向Ｘの端部が、液体収容部１５における幅方向Ｘの外側の面よりも、幅方向Ｘの外側へ突出するようにしてもよい。
【００５８】
・図１７に示すように、上記図１５の複合装置１１において、ブラックインク側（図１７では左側）の液体収容部１５を省略してもよい。
・図１８に示すように、上記図１７の複合装置１１において、読み取り装置１３における液体収容部１５側とは反対側の端部は、記録装置１２における液体収容部１５側とは反対側の側面よりも、幅方向Ｘの内側に配置されるようにしてもよい。
【００５９】
・図１９に示すように、複合装置１１において、液体収容部１５を、上側に開口部４４ａを有し、インクパック３３，３４（図２参照）を収納可能な収納ケース４４を備えるように構成する。そして、カバー部材１８を、第１位置（図１９に実線で示す位置）にあるときに開口部４４ａを閉塞し、第２位置（図１９に２点鎖線で示す位置）にあるときに開口部４４ａを開放するようにしてもよい。このようにすれば、読み取り装置１３のカバー部材１８を、収納ケース４４の開口部４４ａを開閉する蓋としても機能させることができる。
【００６０】
・図２０に示すように、読み取り装置１３が液体収容部１５Ａ，１５Ｂの上方にそれぞれ突出する突出量Ｌ１，Ｌ２は異なってもよい。図２０の複合装置１１は、記録装置１２の幅方向Ｘの両側に液体収容部１５Ａ，１５Ｂを配置する。幅方向Ｘにおいて、液体収容部１５Ａの外形長さは、液体収容部１５Ｂより外形長さより長い。
【００６１】
液体収容部１５Ａには、３個のインクパック５０が収容される。インクパック５０には、シアンインク、マゼンタインク、イエローインクのカラーインクがそれぞれ収容される。液体収容部１５Ｂには、ブラックインクが収容されたインクパック５１が収容される。幅方向Ｘにおいて、インクパック５０は、インクパック５１より長く、奥行き方向Ｙにおいて、インクパック５１は、インクパック５０より長い。
【００６２】
読み取り装置１３が、記録装置１２から一方の液体収容部１５Ａの上方へ突出する突出量Ｌ１は、記録装置１２から他方の液体収容部１５Ｂの上方へ突出する突出量Ｌ２より長い。このような構成により、読み取り装置１３を記録装置１２によって安定して支持できる。
【００６３】
図２０のブラックインクが収容されたインクパック５１を収容した液体収容部１５Ｂの外形長さは、幅方向Ｘにおいて、カラーインクが収容されたインクパック５０を収容した液体収容部１５Ａの外形長さより短かったが、図２１の複合装置１１に示すように、幅方向Ｘにおいて、ブラックインクが収容されたインクパック５２を収容した液体収容部１５Ｃの外形長さが、カラーインクが収容されたインクパック５３を収容した液体収容部１５Ｄの外形長さより長くてもよい。
【００６４】
読み取り装置１３が、記録装置１２から一方の液体収容部１５Ｃの上方へ突出する突出量Ｌ３は、記録装置１２から他方の液体収容部１５Ｄの上方へ突出する突出量Ｌ４より長い。このような構成により、読み取り装置１３を記録装置１２によって安定して支持できる。図２０、図２１の読み取り装置１３の幅方向Ｘの端部の位置は、液体収容部１５Ａ，１５Ｂ，１５Ｃ，１５Ｄの端部の位置と同じであったが、端部の位置が異なってもよい。
【００６５】
・複合装置１１において、読み取り装置１３によって読み取り可能な画像（原稿）の大きさを、記録部１４によって印刷（記録）可能な用紙Ｐの大きさよりも大きくするようにしてもよい。このようにすれば、記録部１４によって印刷可能な用紙Ｐよりも大きい画像（原稿）を読み取り装置１３によって読み取ることができる。この場合、例えば、読み取り装置１３がリーガルサイズ対応で、記録部１４がＡ４サイズ対応である場合、読み取り装置１３によってリーガルサイズで読み取った画像は、Ａ４サイズに縮小して記録部１４で印刷することができる。
【００６６】
・複合装置１１において、読み取り装置１３によって読み取り可能な画像（原稿）の大きさを、記録部１４によって印刷（記録）可能な用紙Ｐの大きさと同じにしてもよい。例えば、記録部１４および読み取り装置１３がともにＡ４サイズ対応の複合装置１１であったり、記録部１４および読み取り装置１３がともにＡ３サイズ対応の複合装置１１であったりしてもよい。
・液体収容部１５の上端部は、必ずしも平面にする必要はない。
【００６７】
・読み取り装置１３の読み取り面１６ａ上に自動的に原稿を給送する自動原稿給送部を、読み取り装置１３上に設けるようにしてもよい。
・読み取り装置１３は、台座を介して液体収容部１５上に配置されるようにしてもよい。
【００６８】
・カバー部材１８は、ヒンジ部１７を介して液体収容部１５に回動可能に取り付けるようにしてもよい。
・記録装置１２及び２つの液体収容部１５を含む複合装置１１の幅方向Ｘの幅は、読み取り装置１３の幅方向Ｘの幅よりも狭くなるようにしてもよい。
【００６９】
・記録装置１２において、上段給紙カセット２２または下段給紙カセット２４を装着する側面と、液体収容部１５を配置する側面とを同じにしてもよい。この場合、上段給紙カセット２２または下段給紙カセット２４と、液体収容部１５とが干渉しないようにすることが好ましい。
【００７０】
・インクパック３３，３４の代わりに、硬質の合成樹脂などによって形成されたハードケースにインクが直接収容されたものを液体収容体として採用してもよい。
・２つの液体収容部１５のうちのいずれか一方を省略してもよい。この場合、１つの液体収容部１５から液体噴射ヘッド２８に、ブラックインク、シアンインク、マゼンタインク、及びイエローインクが導かれるように構成することが好ましい。
【００７１】
・ブラックインク、シアンインク、マゼンタインク、及びイエローインクのうちの一部のインクは、通常容量のインクカートリッジから液体噴射ヘッド２８に供給されるようにしてもよい。
【００７２】
・インクパック３３，３４のうちの少なくとも一つは、インクを補充可能な構成にしてもよい。
・２つの液体収容部１５の配置は入れ替えてもよい。すなわち、カラーインクを収容する液体収容部１５と、ブラックインクを収容する液体収容部１５との配置を入れ替えてもよい。
【００７３】
・複合装置１１では、ブラックインク、シアンインク、マゼンタインク、及びイエローインクの４色対応の構成としたが、単色や２色対応の構成としてもよいし、５色以上に対応可能な構成としてもよい。
【００７４】
・記録媒体は、用紙Ｐだけでなく、布やプラスチックフィルムなどであってもよい。
・上記実施形態において、複合装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【００７５】
（実施形態２）
図２２は、実施形態２における複合装置１００の外観斜視図である。複合装置１００は、用紙に対してインクを噴射して印刷する記録部（図示略）を収容した記録装置１０１と、記録装置１０１上に配置されて画像を読み取る読み取り装置１０２とを備えている。さらに、複合装置１００は、記録装置１０１の幅方向Ｘの両側部に配置され、インク供給チューブ（図示略）を介して記録部に供給するためのインクを収容する液体収容部１０３，１０４を備えている。
【００７６】
記録装置１０１には、複合装置１００の各種の操作を行うための操作部１９、印刷された用紙が排紙される矩形状の排紙口２０、引き出された状態で排紙口２０から排紙された用紙を支持する矩形板状の排紙トレイ２１が設けられている。また、記録装置１０１には、上段給紙カセット２２、下段給紙カセット２４が着脱自在に設けられている。
【００７７】
複合装置１００は、記録、画像読取及びコピーの機能を備える。コピーは、読み取り装置１０２が読み取った媒体としての原稿（不図示）の画像データに基づく画像を、記録装置１０１が用紙に記録することで行われる。
【００７８】
搬送部カバー１１１の内部には、搬送部１１０（図２４参照）が備えられる。給送トレイ１１２には複数の原稿が載置される。給送トレイ１１２は、載置された複数の原稿が搬送部１１０に給送可能な位置に設けられる。給送トレイ１１２には、原稿の幅方向（奥行き方向Ｙ）に変位可能な一対のエッジガイド１１３が備えられ、エッジガイド１１３は、セットされた原稿の両サイドをガイドする。
【００７９】
搬送部１１０は、給送トレイ１１２上の原稿を１枚ずつ読取位置まで送り込む給送と、画像が読み取られた後の原稿を送り出す排出とを含む搬送を行う。画像が読み取られた原稿は、搬送部１１０から順次排出され、排出トレイ１１４に載置される。
【００８０】
液体収容部１０３，１０４は、記録装置１０１の幅方向Ｘにおける側部に配置される。読み取り装置１０２の幅方向Ｘの端部１０２ａ，１０２ｂは、液体収容部１０３，１０４の上方にそれぞれ位置する。すなわち、読み取り装置１０２は、液体収容部１０３，１０４の上方において、記録装置１０１から幅方向Ｘに突出して備えられる。
【００８１】
図２３は、回動部１１９を回動し、固定部１１８に対して開けた状態の複合装置１００の外観斜視図である。回動部１１９は、給送トレイ１１２、搬送部１１０、排出トレイ１１４を備えた状態で、不図示のヒンジを介して固定部１１８に対して回動可能に連結されている。
【００８２】
固定部１１８の上面には、原稿台１１５，１１６が設けられている。原稿台１１５は、ガラスなどの透明部材によって構成されており、搬送部１１０を用いない読み取りを行う場合に原稿が載置される。また、原稿台１１６は、搬送部１１０により読み取り位置に搬送された原稿を支持する。
【００８３】
回動部１１９の下部には原稿マット１１７が設けられており、原稿台１１５に載置された原稿（不図示）は、回動部１１９が閉じられると、原稿マット１１７により押圧され、原稿の被読み取り面が原稿台１１５に密着する。
【００８４】
図２４は、奥行き方向Ｙから見た図で、読み取り装置１０２の概略構成を示す側面図である。読み取り装置１０２はフラットベッド型のスキャナーであり、原稿台１１５，１１６に対して移動可能な読み取り部１３５が、原稿台１１５，１１６の下側に設けられている。
【００８５】
原稿読み取り手段としての読み取り部１３５は、原稿台１１５，１１６に向けて光を照射し、またその反射光を受光して原稿Ｇの情報を読み取る光学ユニットとして構成され、例えばＣＣＤ（Ｃｈａｒｇｅ  Ｃｏｕｐｌｅｄ  Ｄｅｖｉｃｅｓ）方式或いはＣＩＳ（Ｃｏｎｔａｃｔ  Ｉｍａｇｅ  Ｓｅｎｓｏｒ）方式の光学ユニットとして構成される。
【００８６】
読み取り部１３５は奥行き方向Ｙに延設されるとともに、幅方向Ｘに移動可能なキャリッジ１３６に設けられている。キャリッジ１３６は、幅方向Ｘに延設されたガイド部材１３８によりガイドされながら、不図示のモーターの動力を受けて幅方向Ｘに移動する。
【００８７】
尚、原稿台１１５に載置された原稿を読み取る場合、読み取り部１３５は副走査方向に移動しながら読み取りを行う。一方、搬送部１１０により搬送される原稿を読み取る場合、読み取り部１３５は原稿台１１６の下側に停止し、その停止状態を維持する。
【００８８】
搬送部１１０における原稿Ｇの搬送経路を説明する。破線Ａは、搬送部１１０内を搬送される原稿Ｇの搬送経路を示している。複数枚の原稿Ｇをセット可能な給送トレイ１１２は、不図示の、リンク機構及びモーターにより構成される昇降機構によって、最上位の原稿Ｇが給送ローラー１２０に当接する姿勢（上昇姿勢）と、給送ローラー１２０から待避する姿勢（下降姿勢）と、を切り換え可能となっている。
【００８９】
規制面１３４は、給送トレイ１１２にセットされた原稿Ｇの先端位置が規制される。給送トレイ１１２の先端（送り出し方向先端）の上方に設けられた給送ローラー１２０は、図示を省略するモーターによって駆動される。給送ローラー１２０は、外周面が高摩擦材（ゴム）により形成されている。
【００９０】
給送ローラー１２０は、上下方向に変位可能に設けられ、給送トレイ１１２が下降姿勢にあるときは、実線で示す給送ローラー１２０は下降した位置にあり、給送トレイ１１２が上昇すると、破線で示す給送ローラー１２０は原稿Ｇによって押し上げられる。そして給送トレイ１１２、給送ローラー１２０がともに上昇した状態で給送ローラー１２０が回転駆動することにより、最上位の原稿Ｇが搬送部１１０の内部に給送される。
【００９１】
給送ローラー１２０の給送方向における下流側には、図示を省略するモーターによって正転方向に駆動される分離ローラー１２１と、この分離ローラー１２１との間で原稿Ｇをニップするリタードローラー１２２とが対向配置されている。分離ローラー１２１及びリタードローラー１２２は、ともに外周面が高摩擦材（例えば、ゴム）により形成されている。
【００９２】
リタードローラー１２２は所定の回転抵抗が付与されるとともに、従動回転可能に設けられている。そして給送ローラー１２０によって給送された最上位の原稿Ｇが、分離ローラー１２１とリタードローラー１２２とによってニップされた状態で搬送され、また、次位以降の原稿Ｇの重送が防止される。
【００９３】
分離ローラー１２１及びリタードローラー１２２より下流側の搬送経路には、搬送ローラー対１２３、１２４、１２５、１２６が設けられており、これら複数の搬送ローラー対によって原稿Ｇは搬送経路を搬送される。搬送ローラー対１２３から搬送ローラー対１２５に向かう搬送経路は、原稿Ｇを湾曲反転させる湾曲反転経路となっている。
【００９４】
搬送ローラー対１２６の下流側には、排出ローラー対１２７が備えられる。原稿台１１６の位置で読み取りの行われた原稿Ｇは、排出ローラー対１２７によって、排出トレイ１１４に向かって排出される。搬送ローラー対１２３〜１２６、排出ローラー対１２７は、一方のローラーが、不図示のモーターにより回転駆動され、他方のローラーが従動回転する。
【００９５】
搬送ローラー対１２５と搬送ローラー対１２６の間では、原稿Ｇは原稿台１１６の上面に到達する。この位置では読み取り部１３５が停止しており、原稿Ｇの搬送動作を利用して、読み取り部１３５によるスキャニングが行われる。
【００９６】
搬送ローラー対１２６と排出ローラー対１２７との間には、読み取り部１３５による原稿Ｇの読取面（表面）と反対側の面（裏面）を搬送経路の途中で読み取り可能な読取部１３７が配置されている。このため、読み取り装置１０２は搬送部１１０を用いたときは、原稿Ｇの両面の読取りが可能である。尚、読取部１３７は備えなくてもよい。
【００９７】
原稿センサー１３９は、給送トレイ１１２上の原稿Ｇの有無を検知する為の接触式センサーである。原稿センサー１３０，１３１，１３２，１３３は、原稿Ｇの通過を検出する為の原稿センサーである。原稿センサー１３０〜１３３は接触式センサー或いは光学式センサーで構成することができる。読み取り装置１０２の制御部（不図示）は、これらの原稿センサー１３０〜１３３によって、原稿Ｇの搬送制御を行うことができる。
【００９８】
排出ローラー対１２７は、排出駆動ローラー１２９と、排出従動ローラー１２８とによって構成される。排出ローラー対１２７によって順次排出された原稿Ｇは、排出トレイ１１４に積み重ねられるようにして載置される。
【００９９】
搬送部１１０は、給送ローラー１２０、分離ローラー１２１、リタードローラー１２２、搬送ローラー対１２３〜１２６、排出ローラー対１２７、原稿センサー１３０〜１３３などを含んで構成される。
【０１００】
幅方向Ｘにおいて、搬送部１１０は、記録装置１０１と重なる位置に設けられる。すなわち搬送部１１０は記録装置１０１上に位置する。これにより、読み取り装置１０２に占める重量割合が大きな搬送部１１０を安定した姿勢で備えることができる。
【０１０１】
本実施形態では、幅方向Ｘにおいて、原稿台１１６が設けられた領域は、記録装置１０１と重なる位置に設けられる。すなわち原稿台１１６が設けられた領域は、記録装置１０１上に位置する。
【０１０２】
これにより、原稿台１１６の変形を抑制できるので、読み取り部１３５によって読み取られる画像品質の低下を抑制できる。
【０１０３】
図２５は、図２４の複合装置１００に指掛け部１４０ａ，１４０ｂを設けた複合装置１００ａの外観斜視図である。液体収容部１０３，１０４の側部に指掛け部１４０ａ，１４０ｂをそれぞれ設けてもよい。これにより、複合装置１００ａを運搬する際に、運搬人は、指掛け部１４０ａ，１４０ｂに指を掛けて複合装置１００ａを持ち上げることができる。
【０１０４】
指掛け部１４０ａ，１４０ｂに手が掛けられて複合装置１００ａが持ち上げられるとき、液体収容部１０３，１０４の上端部は、固定部１１８の下端部と当接する位置にある。
【０１０５】
インクが収容された状態の液体収容部１０３，１０４は重量が増す。運搬人が指掛け部１４０ａ，１４０ｂに手を掛けて複合装置１００ａを持ち上げた場合は、記録装置１０１に手を掛けて複合装置１００ａを持ち上げた場合と比べ、液体収容部１０３，１０４の重量によって、液体収容部１０３，１０４と記録装置１０１とを接合するネジなどの接合部に対して掛かるせん断応力を小さくすることができる。
【符号の説明】
【０１０６】
１１，１００…複合装置、１２，１０１…記録装置、１３，１０２…読み取り装置、１４…記録部、１５，１０３，１０４…液体収容部、１６ａ…読み取り面、１８…カバー部材、３３，３４…液体収容体の一例としてのインクパック、４０…液体収容体の一例としてのインクカートリッジ、４１…挿入ケース、４１ａ…挿入口、４２…収容ケース、４２ａ，４４ａ…開口部、４３…蓋体、４４…収納ケース、１１０…搬送部、１３５…読み取り部、１４０ａ，１４０ｂ…指掛け部、Ｐ…記録媒体の一例としての用紙、Ｌ１，Ｌ２，Ｌ３，Ｌ４…突出量、Ｘ…幅方向、Ｙ…奥行き方向。
【図１】
2016021171.tif 000003
【図２】
2016021171.tif 000004
【図３】
2016021171.tif 000005
【図４】
2016021171.tif 000006
【図５】
2016021171.tif 000007
【図６】
2016021171.tif 000008
【図７】
2016021171.tif 000009
【図８】
2016021171.tif 000010
【図９】
2016021171.tif 000011
【図１０】
2016021171.tif 000012
【図１１】
2016021171.tif 000013
【図１２】
2016021171.tif 000014
【図１３】
2016021171.tif 000015
【図１４】
2016021171.tif 000016
【図１５】
2016021171.tif 000017
【図１６】
2016021171.tif 000018
【図１７】
2016021171.tif 000019
【図１８】
2016021171.tif 000020
【図１９】
2016021171.tif 000021
【図２０】
2016021171.tif 000022
【図２１】
2016021171.tif 000023
【図２２】
2016021171.tif 000024
【図２３】
2016021171.tif 000025
【図２４】
2016021171.tif 000026
【図２５】
2016021171.tif 000027
【国際調査報告】
2016021171.tif 000028
2016021171.tif 000029
2016021171.tif 000030
2016021171.tif 000031